(57)【要約】【課題】マンションなどの建物の施工時、共用廊下の廊下床スラブを各種物品の搬入動線や作業用の通路として使用しても、居住床スラブからの排水経路が邪魔になることも、不測に損傷することもない床スラブ構造の提供。【解決手段】建物の各居住空間Ｒの居住床スラブ１上面が、各居住空間Ｒの奥側から共用廊下Ｃ側に向けて排水勾配を有するように傾斜している床スラブ構造であって、共用廊下Ｃの廊下床スラブ５が、居住床スラブ１の共用廊下Ｃ側端部より上方に位置するように段差部６を設けて構築され、居住床スラブ１上の排水経路７が、廊下床スラブ５の下方に取り出される。【選択図】図２
2018071160.tif 000002
【特許請求の範囲】
【請求項１】
建物の各居住空間の居住床スラブ上面が、各居住空間の奥側から共用廊下側に向けて排水勾配を有するように傾斜している床スラブ構造であって、
前記共用廊下の廊下床スラブが、前記居住床スラブの共用廊下側端部より上方に位置するように段差部を設けて構築され、前記居住床スラブ上の排水経路が、前記廊下床スラブの下方に取り出される床スラブ構造。
【請求項２】
前記居住床スラブが、各居住空間の奥側に構築の奥側梁と共用廊下側に構築の廊下側梁とに亘って設けられ、前記廊下側梁の上面が、前記奥側梁の上面よりも下方に位置するように構築され、前記排水経路が、当該廊下側梁の上面より上方において前記段差部を貫通する請求項１に記載の床スラブ構造。
【請求項３】
前記段差部の上下高さが、前記排水経路の上下高さよりも高く設定され、当該排水経路が、前記居住床スラブ上面と前記廊下床スラブ下面の間を通って前記段差部を貫通する請求項１または２に記載の床スラブ構造。
【請求項４】
前記排水経路を含む設備配管類が、前記廊下床スラブの下方に集約されている請求項１〜３のいずれか１項に記載の床スラブ構造。
【発明の詳細な説明】
【技術分野】
【０００１】
本発明は、建物の各居住空間の居住床スラブ上面が、各居住空間の奥側から共用廊下側に向けて排水勾配を有するように傾斜している床スラブ構造に関する。
【背景技術】
【０００２】
マンションなどの集合住宅では、各居住空間の居住床スラブ上面が、居住空間の奥側から共用廊下側に向けて排水勾配を有するように傾斜され、排水経路となる排水管が、その居住床スラブ上に配置される場合がある。
その場合、共用廊下の廊下床スラブの上面は、居住床スラブの共用廊下側端部の上面と同じ高さで連続するように構築されるのが一般的で、居住床スラブ上に配置の排水管は、通常、廊下床スラブの上面に取り出される（例えば、特許文献１および２参照）。
また、特殊な例としては、廊下床スラブが、居住床スラブの共用廊下側端部より上方に位置するように段差部を設けて構築されたものもある（例えば、特許文献３参照）。
【先行技術文献】
【特許文献】
【０００３】
【特許文献１】特開平８−１２８１４４号公報（特に段落［００１７］参照）
【特許文献２】特開２００３−１２９６０２号公報（特に図３参照）
【特許文献３】特開２００６−９２４９号公報
【発明の概要】
【発明が解決しようとする課題】
【０００４】
ところで、マンションなどの集合住宅では、その施工時に、共用廊下の廊下床スラブが各種物品の搬入動線や作業用の通路として使用されるため、上記特許文献１および２に記載の従来構造では、廊下床スラブの上面に取り出された排水管が、物品搬入や通行の邪魔になり、作業効率の低下を招いたり、作業の安全性を阻害するおそれがある。また、場合によっては、排水管を不測に損傷する可能性もある。
ちなみに、上記特許文献３には、廊下床スラブが、居住床スラブの共用廊下側端部より上方に位置する記載はあるものの、排水管と廊下床スラブとの配置関係については何の記載もない。
【０００５】
本発明は、このような従来の問題点に着目したもので、その目的は、建物の施工時、共用廊下の廊下床スラブを各種物品の搬入動線や作業用の通路として使用しても、居住床スラブからの排水経路が邪魔になることも、不測に損傷することもない床スラブ構造を提供することにある。
【課題を解決するための手段】
【０００６】
本発明の第１の特徴構成は、建物の各居住空間の居住床スラブ上面が、各居住空間の奥側から共用廊下側に向けて排水勾配を有するように傾斜している床スラブ構造であって、前記共用廊下の廊下床スラブが、前記居住床スラブの共用廊下側端部より上方に位置するように段差部を設けて構築され、前記居住床スラブ上の排水経路が、前記廊下床スラブの下方に取り出される点にある。
【０００７】
本構成によれば、共用廊下の廊下床スラブが、居住床スラブの共用廊下側端部より上方に位置するように段差部を設けて構築され、居住床スラブ上の排水経路が、廊下床スラブの下方に取り出されるので、建物の施工時、共用廊下の廊下床スラブを各種物品の搬入動線や作業用の通路として使用しても、居住床スラブからの排水経路が邪魔になることはなく、各種の物品搬入や作業を安全かつ効率良く行うことができ、また、排水経路を不測に損傷することもない。
【０００８】
本発明の第２の特徴構成は、前記居住床スラブが、各居住空間の奥側に構築の奥側梁と共用廊下側に構築の廊下側梁とに亘って設けられ、前記廊下側梁の上面が、前記奥側梁の上面よりも下方に位置するように構築され、前記排水経路が、当該廊下側梁の上面より上方において前記段差部を貫通する点にある。
【０００９】
本構成によれば、居住床スラブが、各居住空間の奥側に構築の奥側梁と共用廊下側に構築の廊下側梁とに亘って設けられ、廊下側梁の上面が、奥側梁の上面よりも下方に位置するように構築されるので、居住床スラブからの排水経路は、廊下側梁の上面より上方において段差部を貫通することになる。
言い換えると、排水経路が廊下側梁を貫通することはなく、したがって、廊下側梁の強度低下を招くことも、また、強度低下回避のための後処理も不要となる。
【００１０】
本発明の第３の特徴構成は、前記段差部の上下高さが、前記排水経路の上下高さよりも高く設定され、当該排水経路が、前記居住床スラブ上面と前記廊下床スラブ下面の間を通って前記段差部を貫通する点にある。
【００１１】
本構成によれば、段差部の上下高さが、排水経路の上下高さよりも高く設定され、当該排水経路が、居住床スラブ上面と廊下床スラブ下面の間を通って段差部を貫通するので、排水経路の貫通処理が、廊下床スラブや廊下側梁などと無関係に段差部のみで合理的に処理可能となる。
【００１２】
本発明の第４の特徴構成は、前記排水経路を含む設備配管類が、前記廊下床スラブの下方に集約されている点にある。
【００１３】
本構成によれば、排水経路を含む設備配管類が、廊下床スラブの下方に集約されているので、廊下床スラブを上方に位置させることで生じた廊下床スラブ下方の大きな空間を有効に利用して、上述した排水経路に加えて給水経路や下層階のスプリンクラー用給水管や電線などの設備配管類を合理的にコンパクトに集約して配設することができる。
【図面の簡単な説明】
【００１４】
【図１】床スラブ構造を示す縦断側面図
【図２】床スラブ構造の要部を示す縦断側面図
【発明を実施するための形態】
【００１５】
本発明による床スラブ構造の実施形態を図面に基づいて説明する。
本発明の床スラブ構造は、例えば、タワーマンションを一例とする各種の集合住宅などのように、複数の居住空間と共用廊下とを有する建物に適用される。
建物がタワーマンションの場合、例えば、図１に示すように、タワーマンションＴＭの中心部に平面視で矩形のエレベータやエレベータパーキング用などの吹抜け部ＥＨが配置され、吹抜け部ＥＨの周囲に共用廊下Ｃが配置されて、多数の住戸の居住空間Ｒが、その共用廊下Ｃから外側に向けて配置される。
各居住空間Ｒへは、玄関である出入口Ｄを介して共用廊下Ｃ側から出入可能で、居住空間Ｒの最奥部にはバルコニーＢが設けられ、このような多数の居住空間Ｒが、多層階に亘って配置されている。
【００１６】
各居住空間Ｒの居住床スラブ１は、図１に示すように、バルコニー（居住空間の奥）Ｂ側に構築の奥側梁２と共用廊下Ｃ側に構築の廊下側梁３とに亘って配設され、例えば、複数枚の長尺状のスパンクリートを図１の紙面に直交する方向に配置し、その上にコンクリートを打設した合成床板で構成される。
奥側梁２と廊下側梁３に関しては、廊下側梁３の上面が奥側梁２の上面よりも下方に位置するように構築され、それによって、居住床スラブ１の上面が、居住空間Ｒの奥であるバルコニーＢ側から共用廊下Ｃ側に向けて、排水勾配を有するように傾斜した構造に構築される。
共用廊下Ｃの廊下床スラブ５は、吹抜け部ＥＨ側に構築の吹抜け部側梁４と廊下側梁３とに亘って配設され、例えば、現場打ちコンクリートで構成される。
【００１７】
廊下側梁３と吹抜け部側梁４に関しては、廊下側梁３の上面が吹抜け部側梁４の上面よりも下方に位置するように構築され、かつ、居住床スラブ１と廊下床スラブ５に関しては、廊下床スラブ５が居住床スラブ１の共用廊下Ｃ側の端部の上面よりも上方に位置するように、例えば、コンクリート製の段差部６を設けて、廊下床スラブ５の上面が水平になるように構築される。
各居住空間Ｒの居住床スラブ１の上面には、図２に示すように、当該居住空間Ｒからの排水経路である排水管７が配置されて共用廊下Ｃの廊下床スラブ５の下方に取り出され、当該居住空間Ｒへの給水経路である給水管８も、廊下床スラブ５の下方を通って居住床スラブ１の上面に配置される。
【００１８】
居住床スラブ１と廊下床スラブ５の間の段差部６は、その上下高さが排水管７や給水管８の上下高さよりも高く設定されて、排水管７と給水管８が、居住床スラブ１の上面と廊下床スラブ５の下面との間を通って段差部６を貫通するように構築される。
廊下床スラブ５の下方には、上述した排水管７や給水管８に加えて、下層階のスプリンクラー用給水管９や各種の電線（図示せず）なども配置され、これら各種の配管や電線などの設備配管類１０が集約して配置される。
居住床スラブ１の上方には、排水管７や給水管８を覆うように、床材１２が水平に配設され、居住床スラブ１の下方には、スプリンクラー用給水管９や電線、廊下側梁３などを覆い隠すように、下層階の天井材１３が中間に段差を有する状態で水平に、つまり、バルコニーＢ側の天井が高く、出入口Ｄ側の天井が低くなるように配設される。
そして、廊下床スラブ５の下方には、設備配管類１０を覆う廊下天井材１４が、出入口Ｄ側の天井材１３と同じ高さに配設され、それによって、廊下床スラブ６の下方に設備配管類１０を集約して配設するための大きな空間が確保されるとともに、吹抜け部ＥＨの側壁側には、各階の設備配管類１０を集合した集合設備配管類１１を覆う状態で廊下壁材１５が配設される。
【００１９】
〔別実施形態〕
（１）先の実施形態では、タワーマンションを建物ＴＭの一例として説明したが、タワーマンション以外にも、各種の集合住宅やホテルなどの建物ＴＭに適用可能である。
その場合、居住空間Ｒの最奥部にバルコニーＢを備えている必要も、共用廊下Ｃに隣接して吹抜け部ＥＨを備えている必要もなく、居住空間Ｒと共用廊下Ｃを備えた建物ＴＭであれば適用可能である。
【００２０】
（２）先の実施形態では、居住空間Ｒの奥側梁２と廊下側梁３とに亘って居住床スラブ１を配設した例を示したが、この居住床スラブ１に関しては、必ずしも奥側梁２と廊下側梁３とに亘って配設した構造でなくてもよい。
仮に、奥側梁２と廊下側梁３とに亘って配設する場合、奥側梁２と廊下側梁３の上面を同じ高さにし、居住床スラブ１の厚みの変化によって居住床スラブ１の上面に排水勾配を設けることもできる。
【００２１】
（３）先の実施形態では、居住床スラブ１をスパンクリートとコンクリートからなる合成床板で構成した例を示したが、スパンクリートのみで、または、現場打ちコンクリートによって居住床スラブ１を構成することもできる。廊下床スラブ５に関しても、先に示した現場打ちコンクリートに限らず、スパンクリートやスパンクリートを使用した合成床板で構成することもでき、両床スラブ１、５を繋ぐ段差部６についても同様で、特にコンクリート製に限るものではない。
その段差部６に関し、段差部６の上下高さを排水管７や給水管８の上下高さよりも高く設定した例を示したが、段差部６の高さを排水管７や給水管８の高さよりも低く設定することも可能である。その場合には、排水管７や給水管８は、居住床スラブ１、廊下床スラブ５、あるいは、廊下側梁３の一部と段差部６を貫通することになる。
【００２２】
（４）先の実施形態では、居住床スラブ１の上面が、居住空間Ｒの最奥部から共用廊下Ｃ側に向けて全面的に排水勾配を有するように傾斜した例を示したが、必ずしも居住空間Ｒの最奥部から傾斜した構成にする必要はない。例えば、居住空間Ｒのうち、共用廊下Ｃ側に台所、洗面所、浴室、トイレなどの水まわり設備が集約された間取りの場合、居住床スラブ１の上面のうち、これら水まわり設備の下方に位置する居住床スラブ１の部位のみに共用廊下Ｃ側へ向かう排水勾配を設けて実施することもできる。
したがって、本発明において「居住空間の奥」とは、居住空間Ｒの最奥部を意味するものではなく、共用廊下Ｃに隣接する出入口Ｄよりも居住空間Ｒの奥側という意味である。
【符号の説明】
【００２３】
１        居住床スラブ
２        奥側梁
３        廊下側梁
５        廊下床スラブ
６        段差部
７        排水経路
１０      設備配管類
ＴＭ      建物
Ｒ        居住空間
Ｂ        バルコニー（居住空間の奥）
Ｃ        共用廊下
【図１】
2018071160.tif 000003
【図２】
2018071160.tif 000004